【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
ユーザ装置において無線通信ネットワークにおける制御情報を受信する方法であって、
それぞれがオーバラップしていない物理レイヤービルディングブロックのグループから構成される物理リソースブロック（ＰＲＢ）ペアであって、前記ＰＲＢペアの少なくとも２つのセットから構成される拡張制御領域を有するダウンリンク信号を受信すること（２０１０）を有し、
さらに、前記方法は、
分散された拡張制御チャネルエレメント（ｅＣＣＥ）のそれぞれを形成するために複数のＰＲＢペアからの物理レイヤービルディングブロックをアグリゲーションすることによってＰＲＢペアの第１のセットから１つ以上の分散されたｅＣＣＥを形成すること（２０２０）と、
ＰＲＢペアの第２のセットにおける単一のＰＲＢペア内からの物理レイヤービルディングブロックからローカライズドされたｅＣＣＥのそれぞれが形成されるよう物理レイヤービルディングブロックをアグリゲーションすることによって前記ＰＲＢペアの第２のセットから１つ以上のローカライズドされたｅＣＣＥを形成すること（２０３０）と、
前記分散されたｅＣＣＥから第１の制御チャネルメッセージの候補を形成するともに、前記ローカライズドされたｅＣＣＥから第２の制御チャネルメッセージの候補を形成すること（２０５０）と、
有効な制御チャネルメッセージをサーチするために前記第１の制御チャネルメッセージの候補と前記第２の制御チャネルメッセージの候補をデコードすること（２０６０）と
を有し、
前記物理レイヤービルディングブロックはそれぞれが８個または９個のリソースエレメントから構成された拡張リソースエレメントグループ（ｅＲＥＧ）であることを特徴とする方法。
【請求項２】
前記無線通信ネットワークはロングタームエボリューション（ＬＴＥ）の無線ネットワークであることを特徴とする請求項１に記載の方法。
【請求項３】
前記第１および前記第２の制御チャネルメッセージの候補を形成すること（２０２０、２０３０）は、２つ以上の前記ローカライズドされたｅＣＣＥまたは２つ以上の前記分散されたｅＣＣＥ、または、これらの両方をアグリゲーションすることによって前記制御チャネルメッセージの候補の少なくともいくつかを形成することを含むことを特徴とする請求項１または２に記載の方法。
【請求項４】
前記ＰＲＢペアを前記ＰＲＢペアの第１のセットと前記ＰＲＢペアの第２のセットとに分割することを示す無線リソース制御（ＲＲＣ）シグナリングを受信することをさらに有することを特徴とする請求項１ないし３のいずれか１項に記載の方法。
【請求項５】
追加の分散されたｅＣＣＥのそれぞれを形成するために複数のＰＲＢペアからの物理レイヤービルディングブロックをアグリゲーションすることによってＰＲＢペアの第３のセットから１つ以上の追加の分散されたｅＣＣＥを形成すること（２０４０）と、
前記ＰＲＢペアの第３のセットにおける単一のＰＲＢペア内からの物理レイヤービルディングブロックから追加のローカライズドされたｅＣＣＥが形成されるよう物理レイヤービルディングブロックをアグリゲーションすることによって前記ＰＲＢペアの第３のセットから１つ以上の追加のローカライズドされたｅＣＣＥを形成すること（２０４０）と、
前記追加の分散されたｅＣＣＥから１つ以上の第３の制御チャネルメッセージの候補を形成するとともに、前記追加のローカライズドされたｅＣＣＥから１つ以上の第４の制御チャネルメッセージの候補を形成することと、
有効な制御チャネルメッセージをサーチするために前記第３および前記第４の制御チャネルメッセージの候補をデコードすることと
をさらに有することを特徴とする請求項１ないし４のいずれか１項に記載の方法。
【請求項６】
前記ＰＲＢペアの第３のセットにおける分割ポイントを示す無線リソース制御（ＲＲＣ）シグナリングを受信することをさらに有し、前記分割ポイントは、前記ＰＲＢペアの第３のセットを、前記追加のローカライズドされたｅＣＣＥを形成するために使用される第１の部分と、前記追加の分散されたｅＣＣＥを形成するために使用される第２の部分とに分割するものであることを特徴とする請求項５に記載の方法。
【請求項７】
前記分散されたｅＣＣＥから前記第１の制御チャネルメッセージの候補を形成し、前記ローカライズドされたｅＣＣＥから前記第２の制御チャネルメッセージの候補を形成すること（２０５０）は、前記ダウンリンク信号についてのサブフレーム番号と前記ユーザ装置についての無線ネットワークテンポラリー識別子（ＲＮＴＩ）とにしたがって開始ｅＣＣＥ位置が変化するように、前記拡張制御領域内での開始ｅＣＣＥ位置を決定することと、前記開始ｅＣＣＥ位置に始まるｅＣＣＥからいくつかの制御チャネルメッセージの候補を形成することとを含むことを特徴とする請求項１ないし６のいずれか１項に記載の方法。
【請求項８】
前記開始ｅＣＣＥ位置を決定することと、前記いくつかの制御チャネルメッセージの候補を形成することとは、前記ローカライズドされたｅＣＣＥと前記分散されたｅＣＣＥとのそれぞれで独立して実行されることを特徴とする請求項７に記載の方法。
【請求項９】
前記第１の制御チャネルメッセージを形成するために使用される順番とは逆の順番で、番号を付与されたｅＣＣＥを辿って行くことで前記第２の制御チャネルメッセージが形成されるように、前記ローカライズドされたｅＣＣＥについての前記開始ｅＣＣＥ位置と、前記分散されたｅＣＣＥについての開始位置とが、前記番号を付与されたｅＣＣＥの範囲における両端または両端に近い位置に配置されていることを特徴とする請求項８に記載の方法。
【請求項１０】
前記ＰＲＢペアの第１のセットと前記ＰＲＢペアの第２のセットとは離れていることを特徴とする請求項１ないし９のいずれか１項に記載の方法。
【請求項１１】
無線ネットワークノードによって制御されるセルにおいて複数のユーザ装置にサービスが提供される無線通信ネットワークにおいて前記無線ネットワークノードで制御情報を送信する方法であって、
それぞれがオーバラップしていない物理レイヤービルディングブロックのグループから構成される物理リソースブロック（ＰＲＢ）ペアであって、前記ＰＲＢペアの少なくとも２つのセットから構成される拡張制御領域を有するダウンリンク信号を送信することを有し、
さらに、前記方法は、
分散された拡張制御チャネルエレメント（ｅＣＣＥ）のそれぞれが複数のＰＲＢペアからの物理レイヤービルディングブロックをアグリゲーションしたものから形成されており、ＰＲＢペアの第１のセットにおける分散されたｅＣＣＥに対して１つ以上の第１の制御チャネルメッセージをマッピングすること（２１１０）と、
ローカライズドされたｅＣＣＥのそれぞれが単一のＰＲＢペア内からの物理レイヤービルディングブロックをアグリゲーションすることによって形成されており、ＰＲＢペアの第２のセットにおけるローカライズドされたｅＣＣＥに対して１つ以上の第２の制御チャネルメッセージをマッピングすること（２１２０）と、
前記ダウンリンク信号のサブフレームにおいて前記第１の制御チャネルメッセージと前記第２の制御チャネルメッセージとを送信すること（２１４０）と
を有し、
前記物理レイヤービルディングブロックはそれぞれが８個または９個のリソースエレメントから構成された拡張リソースエレメントグループ（ｅＲＥＧ）であることを特徴とする方法。
【請求項１２】
前記無線通信ネットワークはロングタームエボリューション（ＬＴＥ）の無線ネットワークであることを特徴とする請求項１１に記載の方法。
【請求項１３】
前記第１および前記第２の制御チャネルメッセージの少なくともいくつかを前記分散されたｅＣＣＥと前記ローカライズドされたｅＣＣＥとにマッピングすることは、２つ以上の前記ローカライズドされたｅＣＣＥまたは２つ以上の前記分散されたｅＣＣＥをアグリゲーションしたものに制御チャネルメッセージをマッピングすることを含むことを特徴とする請求項１１または１２に記載の方法。
【請求項１４】
前記ＰＲＢペアを前記ＰＲＢペアの第１のセットと前記ＰＲＢペアの第２のセットとに分割することを示す無線リソース制御（ＲＲＣ）シグナリングを送信することをさらに有することを特徴とする請求項１１ないし１３のいずれか１項に記載の方法。
【請求項１５】
複数のＰＲＢペアからの物理レイヤービルディングブロックをアグリゲーションしたものから分散された拡張制御チャネルエレメント（ｅＣＣＥ）のそれぞれが形成されており、ＰＲＢペアの第３のセットにおいて当該分散されたｅＣＣＥに対して１つ以上の第３の制御チャネルメッセージをマッピングすること（２１３０）と、
単一のＰＲＢペア内からの物理レイヤービルディングブロックをアグリゲーションしたものからローカライズドされたｅＣＣＥのそれぞれが形成されており、前記ＰＲＢペアの第３のセットにおいて当該ローカライズドされたｅＣＣＥに対して１つ以上の第４の制御チャネルメッセージをマッピングすること（２１３０）と、
前記第３の制御チャネルメッセージと前記第４の制御チャネルメッセージとを前記ダウンリンク信号の前記サブフレームで送信することと
を有することを特徴とする請求項１１ないし１４のいずれか１項に記載の方法。
【請求項１６】
前記ＰＲＢペアの第３のセットにおける分割ポイントを示す無線リソース制御（ＲＲＣ）シグナリングを送信することをさらに有し、前記分割ポイントは、前記ＰＲＢペアの第３のセットを、前記ローカライズドされたｅＣＣＥに対してマッピングされる制御チャネルのために使用される第１の部分と、前記分散されたｅＣＣＥに対してマッピングされる制御チャネルメッセージのために使用される第２の部分とに分割するものであることを特徴とする請求項１５に記載の方法。
【請求項１７】
前記ＰＲＢペアの第１のセットと前記ＰＲＢペアの第２のセットとは離れていることを特徴とする請求項１１ないし１６のいずれか１項に記載の方法。
【請求項１８】
基地局であって、
それぞれがオーバラップしていない物理レイヤービルディングブロックのグループから構成される物理リソースブロック（ＰＲＢ）ペアであって、前記ＰＲＢペアの少なくとも２つのセットから構成される拡張制御領域を有するダウンリンク信号を送信するように適合した通信装置（２２２０）と、
処理回路（２２１０）と
を有し、
前記処理回路（２２１０）は、請求項１１ないし１７のうちいずれか１項に記載された方法を実行するように適合していることを特徴とする基地局。
【請求項１９】
ユーザ装置であって、
それぞれがオーバラップしていない物理レイヤービルディングブロックのグループから構成される物理リソースブロック（ＰＲＢ）ペアであって、前記ＰＲＢペアの少なくとも２つのセットから構成される拡張制御領域を有するダウンリンク信号を受信するように適合した通信装置（２２２０）と、
処理回路（２２１０）と
を有し、
前記処理回路（２２１０）は、請求項１ないし１０のうちいずれか１項に記載された方法を実行するように適合していることを特徴とするユーザ装置。
【請求項２０】
無線通信ネットワークにおいて動作するよう構成されたユーザ装置におけるプロセッサによって実行されるコンピュータプログラムであって、
前記コンピュータプログラムは、前記プロセッサに請求項１ないし１０のいずれか１項に記載された方法を実行させることを特徴とするコンピュータプログラム。
【請求項２１】
無線通信ネットワークにおいて動作するように構成された基地局装置におけるプロセッサによって実行されるコンピュータプログラムであって、
前記コンピュータプログラムは、前記プロセッサに請求項１１ないし１７のいずれか１項に記載された方法を実行させることを特徴とするコンピュータプログラム。